(57)【要約】【課題】　コピー防止信号が含まれた放送信号をディスプレー装置が表示することができない場合、視聴者が現状態を認識できるようにする放送信号の出力装置、その方法、処理装置及び読取媒体を提供する。【解決手段】　映像/音響信号を復号してそれぞれの映像出力端子及び音響出力端子を介してディスプレー装置及びスピーカーに出力する放送信号の出力装置において、ＯＳＤ処理部は視聴不可メッセージを生成する。制御部は、復号された映像信号にコピー防止信号が含まれているか否かを判断し、コピー防止信号が含まれていると判断されれば、映像出力端子を介して接続されたディスプレー装置への転送許可の有無を判断するために前記ディスプレー装置から認証信号を要請/受信して映像信号に含まれたコピー防止信号と一致するか否かを判断した後、一致しなければ復号された映像信号と音響信号の映像出力端子及び音響出力端子への出力を遮断し、視聴不可のメッセージが映像出力端子を介してディスプレー装置に出力されるようＯＳＤ処理部を制御する。【選択図】　　　図１
2004095159.tif 000002
【特許請求の範囲】
【請求項１】
　受信された映像信号及び音響信号を復号して出力する信号復号部と、
　前記復号された映像信号をディスプレー装置に出力する映像出力端子と、
　前記復号された音響信号をスピーカーに出力する音響出力端子と、
　視聴不可メッセージを生成するＯＳＤ処理部と、
　前記復号された映像信号に前記映像信号のコピーを防止するコピー防止信号が含まれているか否かを判断し、前記コピー防止信号が含まれていると判断されれば、前記映像出力端子を介して接続された前記ディスプレー装置への転送許可の有無を判断するために前記ディスプレー装置から認証信号を要請/受信して前記コピー防止信号と一致するか否かを判断した後、一致しなければ復号された前記映像信号と前記音響信号の前記映像出力端子及び前記音響出力端子への出力を遮断し、前記視聴不可のメッセージが前記映像出力端子を介して前記ディスプレー装置に出力されるよう前記ＯＳＤ処理部を制御する制御部とを含むことを特徴とする放送信号の出力装置。
【請求項２】
　前記映像出力端子は、アナログ信号をデジタル信号の方に変換して出力するデジタルビデオインタフェースであることを特徴とする請求項１に記載の放送信号の出力装置。
【請求項３】
　前記ディスプレー装置から受信された認証信号及び前記映像信号に含まれた前記コピー防止信号が一致すれば、前記制御部は復号された前記映像信号と前記音響信号とを暗号化して前記映像出力端子及び前記音響出力端子に出力することを特徴とする請求項１に記載の放送信号の出力装置。
【請求項４】
　受信された映像信号を復号するステップと、
　前記復号された映像信号に前記映像信号のコピーを防止するコピー防止信号が含まれているか否かを判断するステップと、
　前記コピー防止信号が含まれていると判断されれば、前記復号された映像信号を映像出力端子を介して前記映像出力端子と接続されたディスプレー装置への転送許可の有無を判断するために前記ディスプレー装置から認証信号を要請/受信して前記コピー防止信号と一致するか否かを判断するステップと、
　受信された前記認証信号及び前記コピー防止信号が一致しなければ、視聴不可のメッセージをＯＳＤ処理して前記ディスプレー装置に出力するステップとを含むことを特徴とする放送信号の出力方法。
【請求項５】
　前記映像出力端子は、アナログ信号をデジタル信号の方に変換するデジタルビデオインタフェースであることを特徴とする請求項４に記載の放送信号の出力方法。
【請求項６】
　ユーザの要請に対応されるチャンネル選択信号を生成する制御部と、
　前記チャンネル選択信号に基づいて選局された信号を受信及び復号し、前記復号された信号を前記制御部に出力する信号復号機と、
　ユーザ端子がデジタルフォーマットであるか否かを検出し、検出結果を前記制御部に出力する接続検出部と、
　前記ユーザ端子が前記デジタルフォーマットであり、前記ユーザ端子の認証が通信信号の保護信号に対応しなければ、ユーザメッセージを生成するＯＳＤ処理部とを含むことを特徴とする通信信号の処理装置。
【請求項７】
　前記制御部から前記通信信号を受信及び解読し、前記ユーザ端子が前記デジタルフォーマットを有する時、前記ユーザ端子に通信信号を転送するデジタル出力処理部と、
　前記制御部から前記通信信号を受信及び解読し、前記解読された通信信号をアナログ信号に変換し、前記ユーザ端末が前記デジタルフォーマットを有しない時、前記アナログ信号を前記ユーザ端末に転送するアナログ出力処理部とをさらに含むことを特徴とする請求項６に記載の通信信号の処理装置。
【請求項８】
　前記ユーザ要請は、遠隔制御機及び前記制御部と連結された入力部のうちいずれか１つによって生成されることを特徴とする請求項６に記載の通信信号の処理装置。
【請求項９】
　前記ユーザ端末は、デジタルビデオインタフェースを使う前記デジタルフォーマットを有することを特徴とする請求項６に記載の通信信号の処理装置。
【請求項１０】
　前記ユーザ端末は、ＨＤＭＩ（High　Definition　Multimedia　Interface）を使うデジタルフォーマットを有することを特徴とする請求項６に記載の通信信号の処理装置。
【請求項１１】
　通信信号にコピー防止信号が含まれているか否かを判断するステップと、
　前記通信信号に前記コピー防止信号が含まれている場合、認証を有するビデオインタフェースが前記放送信号を出力する所定の出力装置であるかを判断するステップと、
　前記ビデオインタフェースが前記出力装置であると判断されれば、前記コピー防止信号と前記認証間がマッチしているかを判断するステップと、
　前記コピー防止信号と前記認証がマッチしていないと判断されれば、前記通信信号と表示不可の案内メッセージを生成するステップとを含むことを特徴とする放送信号の出力方法。
【請求項１２】
　前記コピー防止信号と前記認証がマッチしていると判断されれば、前記通信信号を符号化してデジタルビデオインタフェースに出力するステップとをさらに含むことを特徴とする請求項１１に記載の放送信号の出力方法。
【請求項１３】
　（ａ）前記通信信号が前記コピー防止信号を含まない場合、及び（ｂ）前記認証を有する前記デジタルビデオインタフェースが前記通信信号を出力するための前記出力装置でない場合、のうちいずれか１つである時、前記通信信号を処理してユーザ端末に出力するステップとをさらに含むことを特徴とする請求項１１に記載の放送信号の出力方法。
【請求項１４】
　前記通信信号の処理及び出力ステップは、
　前記通信信号を受信及び解読し、前記ユーザ端末が前記デジタルフォーマットを有する時、前記ユーザ端子に前記通信信号を転送するステップと、
　前記通信信号を受信及び解読し、前記解読された通信信号をアナログ信号に変換して後、前記ユーザ端末が前記デジタルフォーマットを有しない時、前記アナログ信号を前記ユーザ端末に転送するステップとを含むことを特徴とする請求項１３に記載の通信信号の出力方法。
【請求項１５】
　チャンネルに対しての通信信号を要請するために入力部を介してユーザ要請を生成するステップと、
　信号復号機を介して前記通信信号を受信及び復号するステップとを含むことを特徴とする請求項１１に記載の放送信号の出力方法。
【請求項１６】
　放送信号を出力するための所定の命令を含むコンピューター読取媒体において、
　前記命令は、
　通信信号がコピー防止信号を含んでいるか否かを判断するステップと、
　前記通信信号が前記コピー防止信号を含んでいる場合、認証を有するデジタルビデオインタフェースが前記通信信号の出力のための所定の出力装置であるかを判断するステップと、
　前記デジタルビデオインタフェースが前記出力装置であると判断されれば、前記コピー防止信号と前記認証間がマッチしているかを判断するステップと、
　前記コピー防止信号と前記認証がマッチしていないと判断されれば、前記通信信号の表示不可の案内メッセージを生成するステップとを含むことを特徴とするコンピューター読取媒体。
【請求項１７】
　前記コピー防止信号と前記認証がマッチしていると判断されれば、前記通信信号を符号化して前記デジタルビデオインタフェースに出力するステップとをさらに含むことを特徴とする請求項１６に記載のコンピューター読取媒体。
【請求項１８】
　（ａ）前記通信信号が前記コピー防止信号を含まない場合、及び（ｂ）前記認証を有する前記デジタルビデオインタフェースが前記通信信号を出力するための前記出力装置でない場合、のうちいずれか１つである時、前記通信信号を処理してユーザ端末に出力するステップとをさらに含むことを特徴とする請求項１６に記載のコンピューター読取媒体。
【請求項１９】
　前記通信信号の処理及び出力ステップは、
　前記通信信号を受信及び解読し、前記ユーザ端末が前記デジタルフォーマットを有する時、前記ユーザ端末に前記通信信号を転送するステップと、
　前記通信信号を受信及び解読し、前記解読された通信信号をアナログ信号に変換して後、前記ユーザ端末が前記デジタルフォーマットを有しない時、前記アナログ信号を前記ユーザ端末に転送するステップとを含むことを特徴とする請求項１８に記載のコンピューター読取媒体。
【請求項２０】
　チャンネルに対しての通信信号を要請するために入力部を介してユーザ要請を生成するステップと、
　前記復号機を介して前記通信信号を受信及び復号するステップとを含むことを特徴とする請求項１６に記載のコンピューター読取媒体。
【発明の詳細な説明】
【技術分野】
【０００１】
　本発明は、放送信号の出力装置、その方法、処理装置及び読取媒体に関し、特に、コピー防止信号によって視聴できない放送信号が受信されれば、視聴不可能というメッセージを画面上に示す放送信号の出力装置、その方法、処理装置及び読取媒体に関する。
【背景技術】
【０００２】
　コンピューターから最初に出力されるデジタル映像信号は、グラフィックカードにてアナログ信号の方に変換されモニターに転送される。これはモニターの大部分を占める陰極線管（ＣＲＴ）モニターがアナログ方式によって映像を表示するのである。
【０００３】
　しかし、液晶表示装置（ＬＣＤ）モニターの場合、デジタル方式で映像を示すので、グラフィックカードから出力されたアナログ信号は再びデジタル信号に変換されＬＣＤモニターに転送されなければならない。このように２回のデータ変換という過程によって映像信号データが損失される。
【０００４】
　かかるデータ損失を防止するために採択されたのがデジタルビデオインタフェース（ＤＶＩ）またはデジタルビジュアルインタフェース（ＤＶＩ）である。ＤＶＩは、ＤＶＩに入力された信号をデジタル信号に変換して出力する装置である。このようなＤＶＩは、デジタルディスプレー装置と接続された時に使用可能であり、デジタル信号を転送することができる。
【０００５】
　ＤＶＩはコンピューターだけではなく、受信された放送信号を視聴可能な信号の方に変換してデジタルディスプレー装置に出力するセットトップボックス（ＳＴＢ）、ＰＤＰ（プラズマディスプレイパネル）、ＤＬＰプロジェクターなどといった放送信号の出力装置に適用され得る。
【０００６】
　一方、高画質の映像を出力するためのデジタルディスプレー装置が発達するにつれ、放送信号には放送信号のコピーを防止するための信号が含まれるようになった。コピー防止信号が含まれた放送信号をＤＶＩを用いてデジタルディスプレー装置に出力する場合、ＨＤＣＰ（High　Bandwidth　Digital　Protection）認証されたデジタルディスプレー装置だけが放送信号を表示することができる。
【０００７】
　しかし、デジタルディスプレー装置にＨＤＣＰ認証がされていない場合、従来の放送信号の出力装置は、デジタルディスプレー装置への放送信号の出力を遮断する。この時、従来の放送信号の出力装置から視聴不可といったメッセージなどの案内メッセージがディスプレー装置に転送されないことによって視聴者は現状態を確認できないという不便さがあった。
【発明の開示】
【発明が解決しようとする課題】
【０００８】
　本発明が前述した問題点を改善するために案出されたものであり、本発明の主な目的は、コピー防止信号が含まれた放送信号をディスプレー装置が表示することができない場合、視聴者が現状態を認識させることができる放送信号の出力装置、その方法、処理装置及び読取媒体を提供することにある。
【課題を解決するための手段】
【０００９】
　前述した技術的な課題を解決するために、本発明に係る放送信号の出力装置は、受信された映像信号及び音響信号を復号して出力する信号復号部と、前記復号された映像信号をディスプレー装置に出力する映像出力端子と、前記復号された音響信号をスピーカーに出力する音響出力端子と、視聴不可のメッセージを生成するＯＳＤ処理部と、前記復号された映像信号に前記映像信号のコピーを防止するコピー防止信号が含まれているか否かを判断し、前記コピー防止信号が含まれていると判断されれば、前記映像出力端子を介して接続された前記ディスプレー装置への転送許可の有無を判断するために前記ディスプレー装置から認証信号を要請/受信して前記コピー防止信号と一致するか否かを判断した後、一致しなければ復号された前記映像信号と前記音響信号の前記映像出力端子及び前記音響出力端子への出力を遮断し、前記視聴不可のメッセージが前記映像出力端子を介して前記ディスプレー装置に出力されるよう前記ＯＳＤ処理部を制御する制御部とを含む。
【００１０】
　より詳しくは、前記映像出力端子は、アナログ信号をデジタル信号の方に変換して出力するデジタルビデオインタフェースである。
【００１１】
　さらに、前記ディスプレー装置から受信された認証信号及び前記映像信号に含まれた前記コピー防止信号が一致すれば、前記制御部は復号された前記映像信号と前記音響信号とを暗号化して前記映像出力端子及び前記音響出力端子に出力する。
【００１２】
　一方、前述した技術的課題を解決するために、本発明に係る放送信号の出力方法は、受信された映像信号を復号するステップと、前記復号された映像信号に前記映像信号のコピーを防止するコピー防止信号が含まれているか否かを判断するステップと、前記コピー防止信号が含まれていると判断されれば、前記復号された映像信号を映像出力端子を介して前記映像出力端子と接続されたディスプレー装置への転送許可の有無を判断するために前記ディスプレー装置から認証信号を要請/受信して前記コピー防止信号と一致するか否かを判断するステップと、受信された前記認証信号及び前記コピー防止信号が一致しなければ、視聴不可のメッセージをＯＳＤ処理して前記ディスプレー装置に出力するステップとを含む。
【００１３】
　一方、前述した技術的課題を解決するために、本発明に係る通信信号の処理装置は、ユーザの要請に対応されるチャンネル選択信号を生成する制御部と、前記チャンネル選択信号に基づいて選局された信号を受信及び復号し、前記復号された信号を前記制御部に出力する信号復号機と、ユーザ端子がデジタルフォーマットであるか否かを検出し、検出結果を前記制御部に出力する接続検出部と、前記ユーザ端子が前記デジタルフォーマットであり、前記ユーザ端子の認証が通信信号の保護信号に対応しなければ、ユーザメッセージを生成するＯＳＤ処理部とを含む。
【００１４】
　詳しくは、前記制御部から前記通信信号を受信及び解読し、前記ユーザ端子が前記デジタルフォーマットを有する時、前記ユーザ端子に通信信号を転送するデジタル出力処理部と、前記制御部から前記通信信号を受信及び解読し、前記解読された通信信号をアナログ信号に変換して前記ユーザ端末が前記デジタルフォーマットを有しない時、前記アナログ信号を前記ユーザ端末に転送するアナログ出力処理部とをさらに含む。
【００１５】
　前記ユーザ要請は、遠隔制御機及び前記制御部と連結された入力部のうちいずれか１つによって生成される。また、前記ユーザ端末は、デジタルビデオインタフェースを使う。
【００１６】
　好ましくは、前記ユーザ端末は、ＨＤＭＩ（High　Definition　Multimedia　Interface）を使うデジタルフォーマットを有する。
【００１７】
　一方、前述した技術的な課題を解決するために、本発明に係る放送信号の出力方法は、通信信号にコピー防止信号が含まれているか否かを判断するステップと、前記通信信号に前記コピー防止信号が含まれている場合、認証を有するビデオインタフェースが前記放送信号を出力する所定の出力装置であるかを判断するステップと、前記ビデオインタフェースが前記出力装置であると判断されれば、前記コピー防止信号と前記認証間がマッチしているかを判断するステップと、前記コピー防止信号と前記認証がマッチしていないと判断されれば、前記通信信号と表示不可の案内メッセージを生成するステップとを含む。
【００１８】
　好ましくは、前記コピー防止信号と前記認証がマッチしていると判断されれば、前記通信信号を符号化して前記デジタルビデオインタフェースに出力するステップとをさらに含む。
【００１９】
　さらに、（ａ）前記通信信号が前記コピー防止信号を含まない場合、及び（ｂ）前記認証を有する前記デジタルビデオインタフェースが下記通信信号を出力するための前記出力装置でない場合のうちいずれか１つである時、前記通信信号を処理してユーザ端末に出力するステップとをさらに含む。
【００２０】
　詳しくは、前記通信信号の処理及び出力ステップは、前記通信信号を受信及び解読し、前記ユーザ端末が前記デジタルフォーマットを有する時に前記ユーザ端末に前記通信信号を転送するステップと、前記通信信号を受信及び解読し、前記解読された通信信号をアナログ信号に変換して後、前記ユーザ端末が前記デジタルフォーマットを有しない時、前記アナログ信号を前記ユーザ端末に転送するステップとを含む。
【００２１】
　また、チャンネルに対しての前記通信信号を要請するために入力部を介してユーザ要請を生成するステップと、信号復号機を介して前記通信信号を受信及び復号するステップとを含む。
【００２２】
　一方、前述した技術的な課題を解決するために、本発明に係る放送信号を出力するための所定の命令を含むコンピューター読取媒体において、前記命令は、通信信号がコピー防止信号を含んでいるか否かを判断するステップと、
　前記通信信号が前記コピー防止信号を含んでいる場合、認証を有するデジタルビデオインタフェースが前記通信信号の出力のための所定の出力装置であるかを判断するステップと、前記デジタルビデオインタフェースが前記出力装置であると判断されれば前記コピー防止信号と前記認証がマッチしているかを判断するステップと、前記コピー防止信号と前記認証がマッチしていないと判断されれば、前記通信信号の表示不可の案内メッセージを生成するステップとを含む。
【００２３】
　さらに詳しくは、前記コピー防止信号と前記認証がマッチしていると判断されれば、前記通信信号を符号化して前記デジタルビデオインタフェースに出力するステップとをさらに含む。
【００２４】
　また、（ａ）前記通信信号が前記コピー防止信号を含まない場合、及び（ｂ）前記認証を有する前記デジタルビデオインタフェースが下記通信信号を出力するための前記出力装置でない場合、のうちいずれか１つである時、前記通信信号を処理してユーザ端末に出力するステップとをさらに含む。
【００２５】
　好ましくは、前記通信信号の処理及び出力ステップは、前記通信信号を受信及び解読し、前記ユーザ端末が前記デジタルフォーマットを有する時、前記ユーザ端末に前記通信信号を転送するステップと、前記通信信号を受信及び解読し、前記解読された通信信号をアナログ信号に変換して後、前記ユーザ端末が前記デジタルフォーマットを有しない時、前記アナログ信号を前記ユーザ端末に転送するステップとを含む。
【発明の効果】
【００２６】
　本発明に係る放送信号の出力装置及びその方法によれば、コピー防止信号が含まれた映像信号をデジタルディスプレー装置に転送する場合、デジタルディスプレ装置にＨＤＣＰ認証がされてないのであれば、映像信号の転送を遮断した後、視聴不可メッセージをＯＳＤメッセージに生成してディスプレー装置に転送できる。これによって、ユーザは映像信号がディスプレー装置に表示されなくても現在に視聴できない状態を把握することが可能になる。従って、本発明に係る装置及び方法は、コンピューター読取媒体を使用して具現することもできる。例えば、コンピューター読取媒体は、前述した方法のステップを具現するための一連のステップまたは指示を含むディスクドライブあるいはその他の格納装置が挙げられる。
【発明を実施するための最良の形態】
【００２７】
　図１は、本発明の好ましい実施例に係る放送信号の出力装置を示すブロック図である。本発明に係る放送信号の出力端子は入力部１１０、信号受信部１２０、信号復号部１３０、デジタル出力端子１４０、第１のＤＡＣ１５０，第２のＤＡＣ１５５、アナログ出力端子１６０、接続検出部１６５、ＯＳＤ処理部１７０、格納部１８０、及び制御部１９０を有する。
【実施例】
【００２８】
　入力部１１０は、放送信号の出力装置の本体に備えられており、放送信号の出力装置の動作を行なうために多数の機能キー（図示せず）を備える。一般に、使用の便宜上、ユーザは多数の機能キー（図示せず）が備えられた遠隔制御機（図示せず）を用いて遠隔地で選択命令を入力する。
【００２９】
　信号受信部１２０は、上空波やデジタル衛生放送のデジタル信号をアンテナから受信される。また、入力部１１０を介してチャンネル選択の命令が入力されれば、信号受信部１２０はユーザの選択に対応するチャンネルを選局する。つまり、ユーザ要請は、例えば、ユーザから入力されたチャンネル選択によって生成され、これに限定されない。
【００３０】
　信号復号部１３０は、信号受信部１２０で選局されたチャンネルに対しての放送信号から映像信号及び音響信号を検出して視聴できる信号に復号する。つまり、圧縮された放送信号を圧縮解除するのである。本発明においては、デジタル信号の特性を有する復号された映像信号及び音響信号について実施例として説明するが、これに限定されない。
【００３１】
　デジタル出力端子１４０は、デジタル映像出力端子１４２及びデジタル音響出力端子１４４を有する。デジタル映像出力端子１４２はＤＶＩを使用する。ＤＶＩは、映像信号をデジタルディスプレー装置（例えば、ＬＣＤディスプレー装置）に転送するためのインタフェースであって、デジタル映像信号をデジタルディスプレー装置に転送する。
【００３２】
　デジタル音響出力端子１４４は、復号された音響信号をスピーカーに転送する。さらに、デジタル出力端子１４０は、ＨＤＭＩを使って映像信号及び音響信号をデジタルディスプレー装置及びスピーカーに転送することができる。
【００３３】
　一方、放送信号の出力装置とアナログディスプレー装置（例えば、ＣＲＴディスプレー装置）が連結されており、復号された映像信号がデジタル映像信号である場合、第１のＤＡＣ（デジタル／アナログ変換器）１５０はデジタル映像信号をアナログ映像信号に変換し、第２のＤＡＣ１５５はデジタル音響信号をアナログ音響信号に変換する。
【００３４】
　アナログ出力端子１６０は、アナログ映像出力端子１６２及びアナログ音響出力端子１６４を有する。アナログ映像出力端子１６２及びアナログ音響出力端子１６４は、第１及び第２のＤＡＣ１５０、１５５で変換されたアナログ映像信号及びアナログ音響信号をそれぞれアナログディスプレー装置及びスピーカーに転送する。
【００３５】
　接続検出部１６５は、ディスプレー装置と接続された出力端子を検出する。即ち、ディスプレー装置がデジタル出力端子１４０及びアナログ出力端子１６０のいずれか１つと接続されたかを検出する。ここで、デジタル出力端子１４０は、ユーザに映像を提供するためのデジタルフォーマットを有する。
【００３６】
　デジタル出力端子１４０を介してデジタルディスプレー装置に映像信号を転送できない場合、ＯＳＤ処理部１７０は視聴不可のメッセージ（つまり、ユーザメッセージ）を生成する。
【００３７】
　格納部１８０には、放送信号の出力装置の動作及び機能を制御するための制御プログラムが格納される。
【００３８】
　制御部１９０は、放送信号の出力装置の全般的な動作を制御する。一例に、制御部１９０は、接続検出部１６５の検出信号によって受信された放送信号がデジタル出力端子１４０及び第１及び第２のＤＡＣ１５０、１５５のうち、いずれか１つに出力されるよう処理する。
【００３９】
　また、ディスプレー装置が受信された放送信号を表示することができない場合、制御部１９０は、ＯＳＤ処理部１７０から生成された視聴不可メッセ入―ジがデジタル映像出力端子１４２を介してディスプレー装置に転送されるようＯＳＤ処理部１７０を制御する。
【００４０】
　図２は、図１に係る放送信号の出力方法を示したフローチャートである。制御部１９０は入力部１１０から受信された信号に応じて受信された映像信号及び音響信号を復号するよう信号復号部１３０を制御する（Ｓ２１０）。そして、制御部１９０は復号された映像信号に映像信号のコピーを防止するコピー防止信号が含まれているかを判断する（Ｓ２２０）。
【００４１】
　２２０ステップにおいて、コピー防止信号が含まれていると判断されれば、制御部１９０はディスプレー装置と接続された端子がデジタル映像出力端子１４２であるかを接続検出部１６５の検出信号によって判断する（Ｓ２３０）。つまり、２３０ステップにおいて、制御部１９０はデジタル映像出力端子１４２がＤＶＩであるかが判断される。
【００４２】
　２３０ステップにおいて、ディスプレー装置がデジタル映像出力端子１４２と接続されたと判断されれば、制御部１９０はデジタル映像出力端子１４２を介してディスプレー装置に認証信号を要請/受信してディスプレー装置へ映像信号を転送するか否かを決定する（Ｓ２４０）。認証信号はデジタル映像出力端子１４２を介して接続されたディスプレー装置への映像信号の転送許可有無を判断するための信号である。
【００４３】
　ディスプレー装置にＨＤＣＰ認証がされてないのであれば、つまり、ディスプレー装置から受信された認証信号と映像信号に含まれたコピー防止信号とが互いに一致しなければ、制御部１９０は、映像信号及び音響信号のデジタル映像出力端子１４２及びデジタル音響出力端子１４４への出力を遮断する。これによって、ディスプレー装置は、ブランク画面状態（例えば、ブラック画面状態）になる。そして、制御部１９０は、ＯＳＤ処理部１７０を制御し視聴不可メッセージを生成した後、生成された視聴不可メッセージがデジタル映像出力端子１４２を介してディスプレー装置に転送する（Ｓ２５０）。
【００４４】
　一方、２２０ステップにおいて、映像信号にコピー防止信号が含まれていないと判断されれば、制御部１９０は接続検出部１６５の検出信号によってディスプレー装置及びスピーカーと連結された端子を判断する。そして、制御部１９０はディスプレー装置及びスピーカーと連結された端子を介して復号された映像信号及び音響信号を出力する（Ｓ２６０）。
【００４５】
　また、２３０ステップにおいて、ディスプレー装置がアナログ映像出力端子１６２と接続されたと検出されれば、制御部１９０は第１及び第２のＤＡＣ１５０、１５５を制御して復号された映像信号及び音響信号をアナログ信号の方に変換した後、アナログ出力端子１６０を介してディスプレー装置及びスピーカーに転送する（Ｓ２６０）。
【００４６】
　さらに、２４０ステップにおいて、ディスプレー装置にＨＤＣＰ認証がされていれば、つまり、ディスプレー装置から受信された認証信号と映像信号に含まれたコピー防止信号とが互いに一致すれば、制御部１９０は映像信号及び音響信号を暗号化してそれぞれのデジタル映像出力端子１４２及びデジタル音響出力端子１４４を介してディスプレー装置及びスピーカーに転送する（Ｓ２７０）。
【００４７】
　以上、本発明を本発明の原理を例示するための望ましい実施例と関連して説明し示したが、本発明はそのように示しかつ説明されたそのままの構成及び作用に限られない。かえって、特許請求の範囲の思想及び範疇を逸脱せず多様な変更及び修正が可能であることを当業者らはよく理解できろう。従って、そのような全ての適切な変更及び修正と均等物も本発明の範囲に属すると見なされるべきである。
【産業上の利用可能性】
【００４８】
　本発明は、コピー防止信号が含まれた放送信号をディスプレー装置が表示できない場合、視聴者に現状態を認識させる放送信号の出力装置及びその方法に適用され得る。
【図面の簡単な説明】
【００４９】
【図１】本発明の好ましい実施例に係る放送信号の出力装置を示すブロック図である。
【図２】図１に係る放送信号の出力方法を示すフローチャートである。
【符号の説明】
【００５０】
１１０　入力部
１２０　信号受信部
１３０　信号復号部
１４０　デジタル出力端子
１４２　デジタル映像出力端子
１４４　デジタル音響出力端子
１５０　第１のＤＡＣ
１５５　第２のＤＡＣ
１６０　アナログ出力端子
１６２　アナログ映像出力端子
１６４　アナログ音響出力端子
１６５　接続検出部
１７０　ＯＳＤ処理部
１８０　格納部
１９０　制御部
【図１】
2004095159.tif 000003
【図２】
2004095159.tif 000004